(57)【要約】【課題】Ｗｅｂサイトにおいて提供するための動画コンテンツを、簡易かつ低コストに制作することができる枠組みを提供する。【解決手段】依頼者端末から送信された素材データを受信する受信手段と、前記素材データに基づき動画コンテンツを制作する制作手段と、前記制作した動画コンテンツを依頼者に対応づけて記憶する記憶手段と、を備える。前記素材データが、画像データと、該画像データにスーパーインポーズするテキストデータとを対応づけたデータセットを少なくとも含んでいることを特徴とする。【選択図】図５
2007028551.tif 000002
【特許請求の範囲】
【請求項１】
依頼者端末から送信された素材データを受信する受信手段と、
前記素材データに基づき動画コンテンツを制作する制作手段と、
前記制作した動画コンテンツを依頼者に対応づけて記憶する記憶手段と、を備え、
前記素材データは、画像データと、該画像データにスーパーインポーズするテキストデータとを対応づけたデータセットを少なくとも含んでいることを特徴とする動画コンテンツ制作システム。
【請求項２】
前記素材データは、動画コンテンツにおいて使用するＢＧＭのタイプ指定データを含んでおり、
前記制作手段は、前記タイプ指定データに基づき動画コンテンツに使用するＢＧＭを選択することを特徴とする請求項１記載の動画コンテンツ制作システム。
【請求項３】
更に、素材データ入力画面の情報を依頼者端末に送信する手段を備え、
前記素材データ入力画面は、動画コンテンツの再生時間に応じたセット数の前記データセットを入力する領域を含んで構成されていることを特徴とする請求項１又は２記載の動画コンテンツ制作システム。
【請求項４】
更に、前記素材データに予め設定した不適切情報が含まれるかどうかを判定し、含まれていると判定した場合、前記依頼者端末に修正要求を通知する手段を備えていることを特徴とする請求項１乃至３のいずれか１項に記載の動画コンテンツ制作システム。
【請求項５】
前記動画コンテンツは、携帯情報処理端末において再生可能なデータ形式であることを特徴とする請求項１乃至４のいずれか１項に記載の動画コンテンツ制作システム。
【請求項６】
依頼者端末から送信された素材データを受信する工程と、
前記素材データに基づき動画コンテンツを制作する工程と、
前記制作した動画コンテンツを依頼者に対応づけて記憶手段に記憶する工程と、を備え、
前記素材データは、画像データと、該画像データにスーパーインポーズするテキストデータとを対応づけたデータセットを少なくとも含んでいることを特徴とする動画コンテンツ制作方法。
【請求項７】
請求項６記載の動画コンテンツ制作方法をコンピュータで実行させるための情報処理プログラム。
【発明の詳細な説明】
【技術分野】
【０００１】
本発明は、動画コンテンツを制作するための情報処理技術に関する。
【背景技術】
【０００２】
従来より、テレビＣＭや企業ＶＰ（Video Promotion）など動画映像を用いて、企業ＰＲ活動が行われている。これらの動画映像は、企画打ち合わせ、シナリオの作成（台本づくり）、撮影、編集といった工程を経て、制作されるのが普通である。
【発明の開示】
【発明が解決しようとする課題】
【０００３】
テレビＣＭ等の制作には、作品監督やカメラマンなどの多数のスタッフの労力や、シナリオ作成費用、撮影・編集機材費用など種々のコストがかかることから、従来、テレビＣＭ等を利用して企業ＰＲ活動を行うことができるのは、そのよう労力やコストを負担できる大規模な企業に限られていた。
【０００４】
一方、そのような労力やコストを負担するのが難しい商店や個人などの小規模の事業主は、もっぱら新聞の折込み広告などを利用してＰＲ活動を行う場合が多かったが、近年ではインターネットの普及に伴い、Ｗｅｂサイト（ホームページ）を利用してＰＲ活動を行うケースも増えつつある。
【０００５】
ここで、Ｗｅｂサイトを利用してＰＲ活動を行う場合、Ｗｅｂサイト上でテレビＣＭ等のような動画コンテンツを提供し、よりインパクトのあるＰＲ活動を行いたいと考える事業主も多い。
【０００６】
しかし、確かに、通信ネットワークにおける伝送速度の高速化に伴って、動画コンテンツを提供する企業Ｗｅｂサイトも増えつつあるが、その多くはテレビＣＭや企業ＶＰなどを動画コンテンツに変換して、そのまま提供しているに過ぎない。このような枠組みのもとＷｅｂサイトで動画コンテンツを提供してＰＲ活動を行おうとすると、結局、テレビＣＭ等を制作するのと変わらないか、又はそれ以上の労力やコストが必要になってしまうという問題があった。
【０００７】
そこで、本発明は、Ｗｅｂサイトにおいて提供するための動画コンテンツを、簡易かつ低コストに制作することができる枠組みを提供することを目的とする。
【課題を解決するための手段】
【０００８】
本発明の動画コンテンツ制作システムは、依頼者端末から送信された素材データを受信する受信手段と、前記素材データに基づき動画コンテンツを制作する制作手段と、前記制作した動画コンテンツを依頼者に対応づけて記憶する記憶手段と、を備え、前記素材データは、画像データと、該画像データにスーパーインポーズするテキストデータとを対応づけたデータセットを少なくとも含んでいることを特徴とする。
【０００９】
好適には、前記素材データは、動画コンテンツにおいて使用するＢＧＭのタイプ指定データを含んでおり、前記制作手段は、前記タイプ指定データに基づき動画コンテンツに使用するＢＧＭを選択することを特徴とする。
【００１０】
また好適には、更に、素材データ入力画面の情報を依頼者端末に送信する手段を備え、前記素材データ入力画面は、動画コンテンツの再生時間に応じたセット数の前記データセットを入力する領域を含んで構成されていることを特徴とする。
【００１１】
また好適には、更に、前記素材データに予め設定した不適切情報が含まれるかどうかを判定し、含まれていると判定した場合、前記依頼者端末に修正要求を通知する手段を備えていることを特徴とする。
【００１２】
また好適には、前記動画コンテンツは、携帯情報処理端末において再生可能なデータ形式であることを特徴とする。
【００１３】
本発明の動画コンテンツ制作方法は、依頼者端末から送信された素材データを受信する工程と、前記素材データに基づき動画コンテンツを制作する工程と、前記制作した動画コンテンツを依頼者に対応づけて記憶手段に記憶する工程と、を備え、前記素材データは、画像データと、該画像データにスーパーインポーズするテキストデータとを対応づけたデータセットを少なくとも含んでいることを特徴とする。
【００１４】
本発明のプログラムは、本発明の動画コンテンツ制作方法の各工程をコンピュータ上で実行させることを特徴とする。本発明のプログラムは、ＣＤ−ＲＯＭ、磁気ディスク、半導体メモリなどの各種の記録媒体を通じて、又は通信ネットワークを介してダウンロードすることにより、コンピュータにインストールまたはロードすることができる。
【００１５】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【発明の効果】
【００１６】
本発明によれば、Ｗｅｂサイトにおいて提供するための動画コンテンツを、簡易かつ低コストに制作することができる。
【発明を実施するための最良の形態】
【００１７】
（第１実施形態）
以下に本発明の実施の形態について図面を用いて説明する。
【００１８】
図１は、本発明の実施形態である動画コンテンツ制作システム１００の概略構成を示すブロックダイアグラムである。図に示すように、動画コンテンツ制作システム１００は、動画コンテンツ制作処理等を実行する情報処理システム１、動画コンテンツ制作を依頼する者（以下、「依頼者」という）に対応する各情報処理端末２等を備えている。情報処理システム１と各情報処理端末２とは、所定の通信ネットワークＮ（ＬＡＮ、インターネット、専用線、パケット通信網、それらの組み合わせ等のいずれであってもよく、有線、無線の両方を含む）を介して相互に通信可能に構成されている。
【００１９】
このような動画コンテンツ制作システムは、例えば従来のＷｅｂアプリケーションサーバシステムの技術を用いて構成することができる。この場合、情報処理システム１は、Ｗｅｂサーバ、ＡＰ（アプリケーション）サーバ及びデータベースサーバとして機能し、クライアントとして機能する各情報処理端末２から例えばＨＴＴＰプロトコルに従い送信される所定の要求を受け付けると、この所定の要求に応じた処理を行い、その処理結果を各情報処理端末２に送信する。また、各情報処理端末２は、例えばＷｅｂブラウザ等を実装しており、ユーザの操作に従って所定の要求を情報処理システム１に対して送信するとともに、その処理結果を受信するとこれをＷｅｂブラウザ上に表示する。
【００２０】
図２は、情報処理システム１のハードウェア構成を示すブロック図である。図２に示すように、情報処理システム１は、ＣＰＵ、ＲＯＭ、ＲＡＭ、外部記憶装置、ユーザインタフェース、ディスプレイ、プリンタ、および通信インタフェース等のハードウェアを備える汎用のコンピュータにより構成することができる。なお、情報処理システム１は、単一のコンピュータにより構成されるものであっても、ネットワーク上に分散した複数のコンピュータにより構成されるものであってもよい。
【００２１】
図３は、情報処理システム１の機能構成を示すブロック図である。図３に示すように、情報処理システム１は、素材データ記憶手段１０、ＢＧＭ記憶手段１１、動画コンテンツ記憶手段１２、通信手段１３、制御手段１４等の機能手段を含んでいる。これらの各機能手段は、ＣＰＵが、ＲＯＭ、ＲＡＭ、外部記憶装置などに記憶された所定のプログラム（本発明の方法を規定したプログラム等）を実行することにより、実現される。
【００２２】
情報処理端末２は、キーボード等の入力装置やディスプレイやプリンタ等の出力装置を含み、本情報処理システム１を利用するユーザ（依頼者）からの入力を受け付けるとともに、ユーザに対し情報を出力することができる構成となっている。このような情報処理端末２としては、一般的なパソコンや携帯端末を用いることができる。情報処理端末２は、本情報処理システム１の一部として構成してもよい。
【００２３】
なお、撮像した画像を用いてその場で動画コンテンツの制作を依頼するような利用形態を考えるならば、情報処理端末２は、Ｗｅｂブラウザ機能や撮像機能を備えた携帯電話など、携帯性に優れた情報処理端末を用いて構成することが望ましい。
【００２４】
以下、動画コンテンツ制作／提供システム１００の構成・動作について実施例に基づき詳細に説明する。
【００２５】
素材データ記憶手段１０は、依頼者ごとに割り当てられる依頼者ＩＤに対応付けて、該依頼者から受信した素材データ、動画コンテンツの再生時間データなどを記憶している（図４（ａ）参照）。
【００２６】
素材データとは、動画コンテンツを作成するための素材となるデータである。本実施形態の素材データは、画像データと該画像データにスーパーインポーズするテキストデータとを対応づけたデータセットを少なくとも含んで構成されている。画像データは、例えばＪＰＥＧ形式とすることができる。
【００２７】
素材データは、更に、動画コンテンツにおいて使用するＢＧＭのタイプ指定データを含むこともできる。ＢＧＭのタイプとしては、例えば「アップテンポ系」、「しっとり系」、「和風系」、「癒し系」、「スポーツ系」、「その他」などを考えることができる。
【００２８】
ＢＧＭ記憶手段１１は、ＢＧＭタイプ指定データに対応付けて、ＢＧＭデータを記憶している（図４（ｂ）参照）。ＢＧＭデータは、例えばＡＡＣ（Advanced Audio Coding）形式とすることができる。
【００２９】
動画コンテンツ記憶手段１２は、依頼者ごとに割り当てられる依頼者ＩＤに対応付けて、本システムにより作成した動画コンテンツを記憶している（図４（ｃ）参照）。動画コンテンツのデータ形式は、例えばＭＰ４形式とすることができる。
【００３０】
なお、動画コンテンツのデータ形式として他のデータ形式を採用してもよいが、ユーザが場所や時間等の制約を受けずに動画コンテンツを閲覧できるように、Ｗｅｂブラウザ機能を備えた携帯電話などによって閲覧できるデータ形式とすることが望ましい。
【００３１】
図４に示すテーブル構成、データ構造は一例であり、他の構成やデータ構造等を採用してもよい。例えば、素材データ記憶手段１０と動画コンテンツ記憶手段１２は共に依頼者ＩＤに対応づけて構成されているため、両者を１つのデータベースとして構成してもよい。また、各記憶手段のデータ管理には、例えばリレーショナルデーターベース等の従来のデータベース技術を用いることができる。
【００３２】
通信手段１３は、通信ネットワークＮを介して情報処理端末２に対し（すなわち、サプライヤやバイヤに対し）情報を入出力可能に構成されており、例えばＰＰＰドライバ、ＴＣＰ／ＩＰドライバ等の通信モジュールを備えている。
【００３３】
制御手段１４は、本情報処理システム１全体の動作を制御するとともに、素材データ受付処理、動画コンテンツ制作処理、動画コンテンツアップロード処理などを実行する。図３では、制御手段１４において実行される上記の各処理をそれぞれ機能手段としてとらえて図示している。なお、制御手段１４は、上記処理以外にも、例えば依頼者の登録処理など、種々の処理を実行する。
【００３４】
以下、図５に示すフローチャートに基づいて、情報処理システム１によって実現される動画コンテンツ制作の枠組みを説明する。なお、各ステップは処理内容に矛盾を生じない範囲で任意に順番を変更して又は並列に実行することができる。
【００３５】
情報処理端末２は、依頼者からの入力に基づき、情報処理システム１に通信ネットワークＮを介してアクセスする（Ｓ１００）。なお、情報処理端末２内の記憶手段には、予め依頼者等がデジタルカメラ等によって撮像した画像データが記憶されているものとする。
【００３６】
情報処理システム１は、情報処理端末２からのアクセスに対し、ログイン処理を実行する（Ｓ１０１）。ログイン処理は、動画コンテンツの制作を依頼するユーザが、予め登録された正規の依頼者であるかどうかを判断（認証）する処理である。例えば、予め依頼者に割り当てたＩＤと依頼者が選択したパスワードとを対応させて情報処理システム１内の記憶手段に記憶しておく。そして、ログイン処理時に、ユーザより依頼者ＩＤ及びパスワードを受け付け、受け付けた内容と記憶内容とが一致する場合に正規の依頼者として認証する。
【００３７】
情報処理システム１は、ログイン処理において正規の依頼者として認証できた場合、素材データ受付画面の情報を情報処理端末２に送信する（Ｓ１０２）。
【００３８】
情報処理端末２は、情報処理システム１から素材データ受付画面情報を受信して、これに基づき画面表示を行い、ユーザから素材データの入力を受け付ける（Ｓ１０３）。
【００３９】
本実施形態の素材データ受付画面は、動画コンテンツの再生時間に応じたセット数の前記データセットを入力する領域（画像データ入力領域、テキストデータ入力領域）と、ＢＧＭのタイプ指定ボタンと、動画コンテンツの再生時間指定ボタンと、入力完了ボタンを含んで構成されている。
【００４０】
図６に、素材データ受付画面の例を示す。素材データ受付画面は、同図に示すように、画面右端のスクロールバーを動かすことで、データ入力領域をスクロールさせながら入力できるように構成されている。この例では、動画コンテンツ再生時間として、３０秒、４５秒、６０秒のいずれかを指定することができる。また、各再生時間に対し、それぞれ１〜６セット、１〜９セット、１〜１２セット分のデータセット入力領域が対応づけられている。
【００４１】
依頼者は、この素材データ受付画面において、例えば画像データファイルを所望の画像データ入力領域にドラッグ＆ドロップして、画像データを入力することができる。ドロップ先の画像データ入力領域には、ドロップされた画像データが適宜サイズを整えた状態で表示される。
【００４２】
また依頼者は、この素材データ受付画面において、テキスト入力領域にカーソルを移動させ、テキストデータを入力することができる。また、再生時間指定ボタンやＢＧＭタイプ指定ボタンをクリックすることで、再生時間やＢＧＭタイプを入力することができる。
【００４３】
本実施形態では、依頼者が、このような素材データ受付画面を用いて直接、画像データやテキストデータ、ＢＧＭのタイプを指定することで、依頼者自ら作品監督兼カメラマンのごとく動画コンテンツの制作に関わることができる。
【００４４】
情報処理端末２は、依頼者が入力完了ボタンをクリックした場合、動画コンテンツの制作要求とともに、入力された素材データや再生時間データを情報処理システム１に送信する（Ｓ１０４）。
【００４５】
情報処理システム１は、情報処理端末２から制作要求とともに素材データ等を受信した場合、素材データ記憶手段１０の、制作要求をした依頼者に対応する格納場所に、前記受信した素材データや再生時間データなどを格納する（Ｓ１０５）。
【００４６】
次に、情報処理システム１は、素材データ記憶手段１０を参照し、制作要求をした依頼者に対応する素材データ等を読み出してノンリニア編集を行い、動画コンテンツを制作する（Ｓ１０６）。この際、必要に応じて、制作担当者から入力を受け付けて処理を実行するように構成してもよい。
【００４７】
動画コンテンツの制作は、例えば次のようにして実行することができる。まず、画像データをスライドショーのように逐次表示させて、例えばＡＶＩ（Audio Video Interleaving）形式の動画データを作成する。このとき、例えば再生時間として３０秒が指定されており、依頼者が入力した画像データ数が６である場合、１画像データあたり５秒（＝３０／６）表示させるように動画データを作成する。また、画像データの表示を切り替える際に、例えばディゾルブなど種々の技法を用いて画面転換を行うようにしてもよい。次に、ＢＧＭデータ記憶手段１１を参照し、前記読み出した素材データ中のＢＧＭタイプ指定データに基づき、対応するＢＧＭデータを読み出す。そして、前記作成した動画データと、前記読み出したＢＧＭデータと、前記読み出した素材データ中のテキストデータとを、例えばＭＰ４形式で多重化して、動画コンテンツを制作する。
【００４８】
動画コンテンツを制作する際に、前記読み出した素材データに予め設定した不適切情報が含まれるかどうかを判定するように構成してもよい。不適切情報としては、著作権法などに違反する情報や、公序良俗に反する情報などを考えることができる。このような不適切情報が含まれていると判定した場合には、不適切情報の修正要求を情報処理端末２に送信するように構成してもよい。
【００４９】
なお、携帯電話等で動画コンテンツを閲覧することを前提とする場合、携帯電話等の表示画面サイズや処理能力を考慮して、制作する動画コンテンツの表示サイズやデータサイズなどを設定することが望ましい。
【００５０】
このようにして動画コンテンツの制作が終了すると、情報処理システム１は、動画コンテンツの確認要求とともに該動画コンテンツを情報処理端末２に送信する（Ｓ１０７）。動画コンテンツの送信方法としては、例えば電子メールの添付ファイルとして送信することが考えられる。
【００５１】
情報処理端末２は、情報処理システム１から確認要求とともに動画コンテンツを受信した場合、その旨を依頼者に通知する（Ｓ１０８）。依頼者は、前記受信した動画コンテンツを再生して内容を確認し、問題がないようであれば情報処理端末２にその旨入力する。
【００５２】
これを受けて、情報処理端末２は、動画コンテンツの承認情報を情報処理システム１に送信する（Ｓ１０９）。なお、情報処理端末２は、依頼者からの入力に応じて、修正要求を情報処理システム１に送信してもよく、この場合、情報処理システム１は対応する修正を行った上で、再びＳ１０７の工程を実行する。
【００５３】
情報処理システム１は、情報処理端末２から承認情報を受信した場合、動画コンテンツ記憶手段１２の、承認情報を受信した依頼者に対応する格納場所に、前記制作した動画コンテンツを格納する（Ｓ１１０）。
【００５４】
次に、情報処理システム１は、依頼者に応じたサイトデータを作成し、該サイトデータに前記制作した動画コンテンツの格納場所に対応するＵＲＬ（Uniform Resource Locator）を埋め込んだ後、通信ネットワークＮを介して該サイトデータを所定のＷｅｂサーバ（図示せず）にアップロードする（Ｓ１１１）。
【００５５】
これにより、一般ユーザ（又は特定の会員ユーザ）は、通信ネットワークＮを介して前記所定のＷｅｂサーバ上の依頼者のサイトにアクセスし、動画コンテンツ制作システム１００により作成した動画コンテンツをダウンロードして視聴することができる。なお、依頼者のサイトのＵＲＬを、例えば２次元バーコードにコーディングして雑誌や新聞、パンフレットに掲載することにより、ユーザの依頼者サイトへのアクセスを容易にして、動画コンテンツによるＰＲ活動をより効果的に実施することができる。
【００５６】
このように本実施形態では、依頼者から通信ネットワークＮを介して画像データと該画像データにスーパーインポーズするテキストデータとを対応づけたデータセットを少なくとも含む素材データを受信し、情報処理システム１において該素材データに基づいて動画コンテンツを制作してＷｅｂサーバにアップロードするように構成したので、テレビＣＭ等を動画コンテンツに変換する従来の枠組みに比べて、Ｗｅｂサイトにおいて提供するための動画コンテンツを簡易かつ低コストに制作することができる。
【００５７】
（その他）
本発明は、上記各実施の形態に限定されることなく種々に変形して適用することが可能である。例えば、素材データとして、動画データを受け付けるように構成したり、直接ＢＧＭデータを受け付けるように構成してもよい。
【００５８】
また、本発明は、事業主を依頼者としてＰＲ活動を行うための動画コンテンツを制作する場合に限られず、一般の個人を依頼者として趣向目的で動画コンテンツを制作するようなケースにも適用できる。例えば、送別会などにおいて、参加者がその場で携帯電話等から情報処理システム１にアクセスし、送別会の様子を撮影した画像データを用いて、動画コンテンツの制作を依頼するといった利用態様を考えることもできる。この場合、その送別会の最中又は二次会などにおいてタイムリーに動画コンテンツを視聴できるように、情報処理システム１において上記一連の制作工程が一定の時間（例えば、１時間）以内に行われるように制御することが望ましい。
【図面の簡単な説明】
【００５９】
【図１】動画コンテンツ制作システム１００の概略構成を示すブロックダイアグラムである。
【図２】情報処理システム１のハードウェア構成を示すブロック図である。
【図３】情報処理システム１の機能構成を示すブロック図である。
【図４】素材データ記憶手段１０、ＢＧＭデータ記憶手段１１、動画コンテンツ記憶手段１２のデータ構造を説明するための図である。
【図５】動画コンテンツ制作の枠組みを説明するためのフローチャートである。
【図６】素材データ受付画面の例を説明するための図である。
【符号の説明】
【００６０】
１  情報処理システム
２  情報処理端末
１０  素材データ記憶手段
１１  ＢＧＭデータ記憶手段
１２  動画コンテンツ記憶手段
１３  通信手段
１４  制御手段
１００  動画コンテンツ制作システム
【図１】
2007028551.tif 000003
【図２】
2007028551.tif 000004
【図３】
2007028551.tif 000005
【図４】
2007028551.tif 000006
【図５】
2007028551.tif 000007
【図６】
2007028551.tif 000008